(57)【要約】      （修正有）【課題】ＲＦＩＤ技術に基づく販売前／販売後の情報収集解析システムを提供する。【解決手段】ＲＦＩＤタグと、アンテナ３と、ＲＦモジュール５と、クラウドサーバ１とを含み、アンテナ３はＲＦＩＤタグ５と情報の伝達を行い、アンテナ３により電磁信号を送信および受信して、ＲＦＩＤタグ情報の受信および送信を実現し、ＲＦＩＤタグ情報を直ちにＲＦモジュール５を通じてクラウドサーバ１に伝送して格納解析を行わせる。無線信号を応用して複数本のアンテナ３を一つのＲＦモジュール５のホストに接続し、複数のＲＦモジュール５のコストを一つのモジュールに削減し、複数の機器の機能を実現する。【効果】小売り店及び各種製品販売業者の管理機器購入コストを軽減させつつ、同一の機能を実現させることができる。【選択図】図２
2016009505.tif 000002
【特許請求の範囲】
【請求項１】
製品毎に付着され、購買者が選択購買時に関連データの情報、例えば、顧客製品選択情報の頻度、時間長さ等を収集記録するためのＲＦＩＤタグと、
製品が載置される各々の販売スポットの受付カウンタ若しくは展示台内または移動特別仕様設備上に分布取り付けられ、ＲＦＩＤタグからの輻射または無線電波を受信するためのアンテナと、
無線「フリークエンシ」信号を利用して遠方の各種機器を制御する遠隔制御装置であるＲＦモジュールであって、これら信号は、遠方の受信機器により受信された後、その他の各種の相応な機械若しくは電子機器を指令または駆動して各種操作を完成させることが可能なＲＦモジュールと、
収集されたデータの情報を解析し、小売り業者に対して消費者の購買過程で与えられた何らかの贔屓好み、注目度に関する情報を提供するためのクラウドサーバと、
を含み、前記アンテナはＲＦＩＤタグと情報の伝達を行い、アンテナによりフリークエンシ信号を送信および受信し、ＲＦＩＤタグ情報の受信および送信を実現し、またＲＦＩＤタグ情報を直ちにＲＦモジュールを通じてクラウドサーバに伝送して格納解析を行わせることを特徴とする、ＲＦＩＤ技術に基づく情報収集解析システム。
【請求項２】
前記ＲＦＩＤタグは、行き来するユーザの製品に対する注目状況をリアルに解析し、顧客の停留時間、各種製品の選択頻度等の情報を記録するために用いられることを特徴とする、請求項１に記載のＲＦＩＤ技術に基づく情報収集解析システム。
【請求項３】
直接またはネットワークを通じてクラウドサーバに接続されるＲＦＩＤ読み書き識別装置をさらに含み、ＲＦＩＤ読み書き識別装置は、製品のＲＦＩＤタグにおける情報を識別および読み取ってクラウドサーバにフィードバックするために用いられ、また、クラウドサーバは、その内部に集積された販売管理ソフトウエアによってＲＦＩＤ読み書き識別装置を制御して製品のＲＦＩＤタグにおける関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むために用いられることを特徴とする、請求項２に記載のＲＦＩＤ技術に基づく情報収集解析システム。
【請求項４】
前記クラウドサーバが通じてデータベースシステムにアクセスするネットワークは、インターネットまたはランであることを特徴とする、請求項３に記載のＲＦＩＤ技術に基づく情報収集解析システム。
【請求項５】
前記ＲＦモジュールは、マイクロコントローラとフリークエンシ受送信回路とが一体に集積されたＲＦＩＤタグ識別モジュールであることを特徴とする、請求項４に記載のＲＦＩＤ技術に基づく情報収集解析システム。
【請求項６】
請求項１、２、３、４または５に記載の情報収集解析システムを用い、
ＲＦＩＤタグを製品に付着し、製品が載置される小売り店の受付カウンタまたは展示ボックス内にアンテナを設置するステップ１であって、ＲＦＩＤタグはこの製品に対する購買者の注目度、例えば、停留時間、注目頻度等を随時記録することが可能であり、前記アンテナはＲＦＩＤタグと情報データの伝達を行い、アンテナにより電磁信号を送信および受信し、ＲＦＩＤタグ情報の受信および送信を実現するステップ１と、
小売り業全体または各販売業界の発売場所内に一台のＲＦモジュールを安定的に設置するステップ２であって、各販売スポットの受付カウンタ若しくは展示ボックス上のアンテナは、いずれも無線信号の方式により各販売スポットの受付カウンタ若しくは展示ボックス内のアンテナにより収集された信号をクラウドサーバに伝送することが可能であり、クラウドサーバはまた、その内部に集積された販売管理ソフトウエアによってＲＦＩＤ読み書き識別装置を制御して製品のＲＦＩＤタグにおける関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むことが可能なステップ２と、
クラウドサーバを倉庫またはその他の業務室に設置するステップ３であって、情報を販売者または責任者に随時フィードバックすることが可能なステップ３と、
に従って行うことを特徴とする、ＲＦＩＤ技術に基づく情報収集解析システムの実現方法。
【請求項７】
クラウドサーバが、ネットワークを通じてデータベースシステムにアクセスして、データベースシステムにおける製品情報化管理データの全部または一部に基づいて製品の販売分布調査、製品の在庫調査、製品の販売集計、製品の販売推移予備集計を行うステップ４をさらに含むことを特徴とする、請求項６に記載のＲＦＩＤ技術に基づく情報収集解析システムの実現方法。
【発明の詳細な説明】
【技術分野】
【０００１】
本発明は小売り業界の情報識別の技術分野に関し、特にＲＦＩＤ技術の情報収集解析システムおよび実現方法に関する。
【背景技術】
【０００２】
無線周波識別技術（Ｒａｄｉｏ  Ｆｒｅｑｕｅｎｃｙ  Ｉｄｅｎｔｉｆｉｃａｔｉｏｎ，ＲＦＩＤ）とは、または周波識別技術と呼ばれ、２０世紀９０年代より盛んに起ってきた非接触自動識別技術のことである。それは、フリークエンシ方式を利用して非接触双方向通信を行い、これにより、目標となるターゲットを自動に識別して関連データを取得することを達成するものであり、精度が高く、環境適応力が強く、耐干渉が強く、操作が速やかである等の多くの長所を有する。
【０００３】
現在よく用いられている自動識別技術において、バーコードカードおよび磁気カードは、コストが比較的に低いが、いずれも摩耗しやすく、しかもデータ量がとても小さいものであり、また、接触式ＩＣカードは、価格が少し高く、データ格納量が大きく、安全性が良いが、これも摩耗しやすく、寿命が短いものであり、それらに対して、フリークエンシカードは、接触無し操作が実現され、応用に便利で、機械的な摩耗がなく、寿命が長く、可視光源が必要なく、透過性が良く、耐汚染力および耐久性が強く、しかも、劣悪環境下で作動可能で、環境への要求が低く、読み取り距離が遠く、目標との接触なくデータを取得でき、データ書込みに対応し、新タグの再製作が必要なく、繰返し使用でき、また衝突防止技術が使用されるために、高速運動物体を識別でき且つ複数のフリークエンシカードを同時に識別することができるものである。
【０００４】
近年、無線周波識別技術は国内外における発展がとても速く、ＲＦＩＤ製品の種類がとても多く、ＴＩ、Ｍｏｔｏｒｏｌａ、Ｐｈｉｌｉｐｓ、Ｍｉｃｒｏｃｈｉｐ等のような世界有名なメーカは、いずれもＲＦＩＤ製品を生産し、且つ各々の特徴を持ち、独自のシリーズを立ち上げている。ＲＦＩＤはすでに、工業自動化、商業自動化、交通輸送制御管理等の多くの分野、例えば、自動車若しくは汽車等の交通モニタシステム、高速道路の自動料金システム、品物管理、パイプライン生産自動化、アクセスコントロールシステム、金融取引、在庫管理、畜牧管理、車両盗難防止等において広く応用されている。コストが低下しおよび標準化が実現するに伴い、ＲＦＩＤ技術が全面的に展開されおよび普遍的に応用されることは逆転不可能な趨勢になろうとしている。
【０００５】
商業競争が熾烈さを増すに伴い、効果的にコストを低減することは小売り業が自身の競争力を強化する重要な手段となり、また、管理機器を優化し、消費者の購買贔屓好みを解析することはキーの一つとなり、顧客の購買意向およびニーズをリアルに解析することにより、製品の注目される確率を確定し、これによって利益の空間を向上し、在庫を低減するようになりつつある。
【０００６】
現在小売り業界に応用されている従来のＲＦＩＤリーダの設計は、ケーブルまたはコンセントを用いて一つのアンテナをＲＦモジュールに接続して、一セットのＲＦＩＤ装置を形成するものである。しかし、異なる位置にて複数のタグを読み取るには、複数セットのＲＦＩＤ装置（図一に示す）を取り付けることが必要である可能性がある。一方、ＲＦＩＤによって読み取ったデータは、収集されることを経て機器に格納されまたはローカルコンピュータに伝達される。
小売り業の従来のＲＦＩＤ装置については、異なる位置にて使用する時、複数個のいくらか高価なＲＦＩＤリーダが必要である。高価なのは、主な費用コストがフリークエンシモジュールであり、アンテナにごく一部しかかかっていないからである。複数個のＲＦＩＤデータ読み取り装置を作り上げようとすれば、トータルの費用およびコストが高くなるに決まっている。このように、必ず、多数の小売り業者が顧客販売前行為を解析可能な収集装置を採用する興味を減少させ、ＲＦＩＤをデータ採集の理想パターンとして選択応用することを放棄させる。
【発明の概要】
【発明が解決しようとする課題】
【０００７】
本発明はＲＦＩＤ技術に基づく情報収集解析システムおよび方法を提供し、主に無線を応用して複数本のアンテナを一つのＲＦモジュールのホストに接続して、新たなＲＦＩＤネットワークを形成し、これにより、複数のＲＦモジュールのコストを一つのモジュールに削減し、複数の機器の機能を実現することが可能である。
【課題を解決するための手段】
【０００８】
本発明により採用される技術的解決手段は、以下のとおりである：
【０００９】
ＲＦＩＤ技術に基づく情報収集解析システムであって、
製品毎に付着され、購買者が選択購買時に関連データの情報、例えば、顧客製品選択情報の頻度、時間長さ等を収集記録するためのＲＦＩＤタグと、
製品が載置される各々の販売スポットの受付カウンタ若しくは展示台上または移動特別仕様設備（例えば、トレイ、箱、カーペット、ミラー）上に分布取り付けられ、ＲＦＩＤタグからの輻射または無線電波を受信するためのアンテナと、
無線「フリークエンシ」信号を利用して遠方の各種機器を制御する遠隔制御装置であるＲＦモジュールであって、これら信号は、遠方の受信機器により受信された後、その他の各種の相応な機械若しくは電子機器を指令または駆動して各種操作を完成させることが可能なＲＦモジュールと、
収集されたデータの情報を解析し、小売り業者に対して消費者の購買過程で与えられた何らかの贔屓好み、注目度に関する情報を提供するためのクラウドサーバと、を含み、前記アンテナはＲＦＩＤタグと情報の伝達を行い、アンテナによりフリークエンシ信号を送信および受信し、ＲＦＩＤタグ情報の受信および送信を実現し、またＲＦＩＤタグ情報を直ちにＲＦモジュールを通じてクラウドサーバに伝送して格納解析を行わせ、
また、前記ＲＦＩＤタグは、行き来するユーザの製品に対する注目状況をリアルに解析し、顧客の停留時間、各種製品の選択頻度等の情報を記録するために用いられ、
また、前記クラウドサーバは、ＲＦＩＤタグにより収集送信された有効情報をリアルに記録解析することが可能であり、
また、直接またはネットワークを通じてクラウドサーバに接続されるＲＦＩＤ読み書き識別装置をさらに含み、ＲＦＩＤ読み書き識別装置は、製品のＲＦＩＤタグにおける情報を識別および読み取ってクラウドサーバにフィードバックするために用いられ、また、クラウドサーバは、その内部に集積された販売管理ソフトウエアによってＲＦＩＤ読み書き識別装置を制御して製品のＲＦＩＤタグにおける関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むために用いられ、
また、前記クラウドサーバが通じてデータベースシステムにアクセスするネットワークは、インターネットまたはランであり、
また、前記ＲＦモジュールは、マイクロコントローラとフリークエンシ受送信回路とが一体に集積されたＲＦＩＤタグ識別モジュールである、システム。
【００１０】
さらに、ＲＦＩＤ技術に基づく情報収集解析システムの実現方法であって、
ＲＦＩＤタグを製品に付着し、製品が載置される販売スポットの受付カウンタまたは展示ボックス内にアンテナを設置するステップ１であって、ＲＦＩＤタグはこの製品に対する購買者の注目度、例えば、停留時間、注目頻度等を随時記録することが可能であり、前記アンテナはＲＦＩＤタグとエネルギおよび情報の伝達を行い、アンテナにより電磁信号を送信および受信し、ＲＦＩＤタグ情報の受信および送信を実現するステップ１と、
小売り業全体または各販売業界の発売場所内に一台のＲＦモジュールを安定的に設置するステップ２であって、各販売スポット内の受付カウンタ上のアンテナは、いずれも無線信号の方式により各販売スポット内のアンテナにより収集された信号をクラウドサーバに伝送することが可能であり、クラウドサーバはまた、その内部に集積された販売管理ソフトウエアによってＲＦＩＤ読み書き識別装置を制御して製品のＲＦＩＤタグにおける関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むことが可能なステップ２と、
クラウドサーバを倉庫またはその他の業務室に設置するステップ３であって、情報を販売者または責任者に随時フィードバックすることが可能なステップ３と、
クラウドサーバは、ネットワークを通じてデータベースシステムにアクセスして、データベースシステムにおける製品情報化管理データの全部または一部に基づいて製品の販売分布調査、製品の在庫調査、製品の販売集計、製品の販売推移予備集計を行うステップ４と、に従って行う、実現方法。
【発明の効果】
【００１１】
本発明は従来の技術と比較して下記の長所および積極的な効果を備えている：
本発明は新たなＲＦＩＤネットワークであり、主には新たな分布式の複数点の無線送受信技術を応用して複数本のアンテナを一つのＲＦモジュールのホストに接続し、これにより、複数のＲＦモジュールのコストを一つのモジュールに削減して、複数の機器の機能を実現することが可能である。また、本発明の出現は、消費者販売前情報のデータの送信収集をより速やかで正確にして、小売り業者の在庫を大きく低下させ、消費者の贔屓好みおよび注目度の社会的移り変わり趨勢に適応し、各業界における販売棚卸集計作業等の品質および能率等を改善させ、これによって、小売り店または各販売業界の発売場所の管理設備購入コストを軽減させつつ、同一の機能を実現させることができる。
【図面の簡単な説明】
【００１２】
【図１】図１は、従来のＲＦＩＤ装置のイメージ図である。
【図２】図２は、本発明にかかるＲＦＩＤ技術に基づく情報収集解析システムのイメージ図である。
【発明を実施するための形態】
【００１３】
以下、具体的な実施例と結び付いて本発明についてさらに詳しく記述する。
【実施例１】
【００１４】
図１に示す従来のＲＦＩＤ設備は、アンテナ、リーダ、クラウドサーバ、およびＲＦＩＤタグを含むが、一つの位置に向けてしか管理を行えず、異なる位置であれば、複数個のリーダを取り付けることが必要となる。それに対して、図２に示す本発明の実施例の一つであるＰＦＩＤ技術に基づく情報収集解析システムは、
製品毎に付着され、購買者が選択購買時に関連データの情報、例えば、頻度、時間長さ等を収集記録するためのＲＦＩＤタグ４であって、行き来するユーザの製品に対する注目状況をリアルに監視し、顧客の停留時間、選択頻度等の情報を記録するためのＲＦＩＤタグ４と、
製品が載置される各々の販売スポットの各受付カウンタまたは展示台上に分布され、ＲＦＩＤタグ４からの輻射または無線電波を受信するためのアンテナ３と、
無線信号を利用して遠方の各種機器を制御する遠隔制御装置であるＲＦモジュール５であって、これら信号は、遠方の受信機器により受信された後、その他の各種の相応な機械若しくは電子機器を指令または駆動して各種操作を完成させることが可能なＲＦモジュール５と、
収集されたデータの情報を解析し、小売り業者に対して消費者の購買意欲に関する情報を提供するためのクラウドサーバ１であって、ＲＦＩＤタグ４により記録された有効情報をリアルに記録解析することが可能なクラウドサーバ１と、を含み、前記アンテナ３がＲＦＩＤタグ４とエネルギおよび情報の伝達を行い、アンテナ３により電磁信号を送信および受信し、ＲＦＩＤタグ４情報の受信および送信を実現し、またＲＦＩＤタグ４情報を直ちにＲＦモジュール５を通じてクラウドサーバ１に伝送して格納解析を行わせ、前記クラウドサーバ１が通じてデータベースシステムにアクセスするネットワークが、インターネットまたはランである。
【実施例２】
【００１５】
本発明の実施例２であるＲＦＩＤ技術に基づく情報収集解析システムは、直接またはネットワークを通じてクラウドサーバ１に接続されるＲＦＩＤ読み書き識別装置をさらに含み、ＲＦＩＤ読み書き識別装置は、製品のＲＦＩＤタグ４における情報を識別および読み取ってクラウドサーバ１にフィードバックするために用いられ、また、クラウドサーバ１は、その内部に集積された販売管理ソフトウエアによってＲＦＩＤ読み書き識別装置を制御して製品のＲＦＩＤタグ４における関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むために用いられることを本実施例２の実施例１との違いとする。
【実施例３】
【００１６】
本発明の実施例３であるＲＦＩＤ技術に基づく情報収集解析システムは、前記ＲＦモジュール５は、マイクロコントローラとフリークエンシ受送信回路とが一体に集積されたＲＦＩＤタグ４の識別モジュールであることを本実施例３の実施例２との違いとする。
【実施例４】
【００１７】
ＲＦＩＤ技術に基づく情報収集解析システムの実現方法は、
ＲＦＩＤタグ４を製品に付着し、製品が載置される展示ボックス内にアンテナ３を設置するステップ１であって、ＲＦＩＤタグ４はこの製品に対する購買者の注目度、例えば停留時間、注目頻度等を随時記録することが可能であり、前記アンテナ３はＲＦＩＤタグ４とエネルギおよび情報の伝達を行い、アンテナ３により電磁信号を送信および受信し、ＲＦＩＤタグ４情報の受信および送信を実現するステップ１と、
小売り業全体または各販売業界の発売場所内に一台のＲＦモジュール５を安定的に設置するステップ２であって、各販売スポットの受付カウンタ上のアンテナ３は、いずれも無線信号の方式により各販売スポットの受付カウンタ内のアンテナ３により収集された信号をクラウドサーバ１に伝送することが可能であり、クラウドサーバ１はまた、その内部に集積された販売管理ソフトウエアによってＲＦＩＤ読み書き識別装置を制御して製品のＲＦＩＤタグ４における関連情報を識別および読み取らせ、当該関連情報に基づいてデータベースシステムにおけるそれと対応した製品情報化管理データの製品状態情報を現在の製品状態情報に更新し、また製品の現在流れ向き記録、現在顧客に選ばれた回数、顧客の購買頻度等を当該製品情報化管理データに書込むことが可能なステップ２と、
クラウドサーバ１を倉庫またはその他の業務室に設置するステップ３であって、情報を販売者または責任者に随時フィードバックすることが可能なステップ３と、
クラウドサーバ１は、ネットワークを通じてデータベースシステムにアクセスして、データベースシステムにおける製品情報化管理データの全部または一部に基づいて製品の販売分布調査、製品の在庫調査、製品の販売集計、製品の販売推移予備集計を行うステップ４と、に従って行う。
【００１８】
本発明の上述した実施例は、本発明をはっきりと説明するために例示するものだけであり、本発明の実施形態を限定するものではないことは言うまでもない。本発明が属する分野における通常の技術者にとっては、上述した説明の基礎の元に、更にその他の異なる形式の変化または変動を成し得る。ここでは全ての実施形態を挙げきれることは不可能である。本発明の技術的解決手段によって派生した明らかなことに属する如何なる変化または変動も、依然として本発明の保護範囲にある。
【符号の説明】
【００１９】
１  クラウドサーバ
２  リーダ
３  アンテナ
４  ＲＦＩＤタグ
５  ＲＦモジュール
【図１】
2016009505.tif 000003
【図２】
2016009505.tif 000004